(57)【要約】【課題】表示装置の視感上の解像度を向上させること。【解決手段】複数の表示画素をマトリックス状に配列し、カラー表示を行うため各色同時にサンプリングされる各単位画素１０が赤，緑，青，白の４個の前記表示画素１２Ｒ，１２Ｇ，１２Ｂ，１２Ｗで構成された表示装置において、１単位画素１０内で、４個の表示画素を一列に並べて配列すると共に、緑表示画素１２Ｇと白表示画素１２Ｗとを隣接して１単位画素１０の中央に配置することにより、隣接する単位画素１０同士の影響を低減し、視感上の解像度を向上させる。【選択図】図１
2008233803.tif 000002
【特許請求の範囲】
【請求項１】
複数の表示画素をマトリックス状に配列し、カラー表示を行うための各単位画素が赤，緑，青，白の４個の表示画素で構成された表示装置であって、
１単位画素内において、前記４個の表示画素は一列に並べて配列され、
緑の表示画素と白の表示画素とが隣接して前記１単位画素の中央に配置されることを特徴とする表示装置。
【請求項２】
前記各単位画素における赤，緑，青の前記各表示画素には、同時にサンプリングされた表示信号に基づく表示がなされることを特徴とする請求項１に記載の表示装置。
【請求項３】
赤の表示画素と緑の表示画素とは１単位画素内及び隣接単位画素間において離れて配置されることを特徴とする請求項１または２に記載の表示装置。
【請求項４】
複数の表示画素をマトリックス状に配列し、カラー表示を行うための各単位画素が赤，緑，青，白の４個の表示画素で構成された表示装置であって、
１単位画素内において前記４個の表示画素は一列に並べて配列され、
赤の表示画素と緑の表示画素とが１単位画素内及び隣接単位画素間において離れて配置されることを特徴とする表示装置。
【請求項５】
前記各単位画素における赤，緑，青の前記各表示画素には、同時にサンプリングされた表示信号に基づく表示がなされることを特徴とする請求項４に記載の表示装置。
【発明の詳細な説明】
【技術分野】
【０００１】
本発明は、複数の信号線と複数の走査線とをマトリックス状に配列し、各交点近傍に表示画素を配置した表示パネルを有し、カラー表示を行うための１単位画素を、赤，緑，青，白の４色に割り当てられた前記表示パネルにおける一列に隣接配置された４個の表示画素で構成する表示装置に関する。
【背景技術】
【０００２】
カラー表示を行うための１単位画素を赤，緑，青の３個の表示画素に分割してカラー表示を行うカラー液晶表示装置が知られている。
【０００３】
そのような１単位画素を赤，緑，青の３表示画素に分割したカラー液晶表示装置において、赤、緑、又は青の単色を表示させるときの色純度を高くしようとした場合には、透過率の低いカラーフィルタを使わなくてはならず、色純度の低いカラー液晶表示装置と比べて透過率が全体に低くなってしまっていた。
【０００４】
そこで、特許文献１では、一対の基板の間に液晶組成物を挟持し、前記一対の基板の一方にカラー表示のための異なる色相のカラーフィルタを有し、他方に画素選択用のスイッチング素子を有する液晶表示装置において、前記カラー表示を行うための１単位画素を構成する表示画素を４つの表示画素で構成し、前記４つの表示画素のうち前記他方の基板上の３つの表示画素の領域に相当する前記一方の基板に３原色（赤，緑，青）に相当するカラーフィルタを配置すると共に他の１つの表示画素に相当する領域に白色に相当するカラーフィルタを配置することで、液晶表示装置の輝度を向上させることを提案している。
【０００５】
また、上記特許文献１では、白色の表示画素に入力する階調値を、３原色に相当する各表示画素に入力される３つの階調値のうち、最も小さい値とすることで、色バランスのずれを防止しながら、輝度の向上が実現できることも開示している。
【特許文献１】特開平１１−２９５７１７号公報
【発明の開示】
【発明が解決しようとする課題】
【０００６】
しかしながら、上記特許文献１に開示されたように単位画素内の表示画素の配置を赤，緑，青，白の順とすると、白表示画素に入力される階調値が比較的大きい場合、単位画素内の輝度分布は白表示画素が存在する部分に偏ったものとなる。
【０００７】
図１０（Ａ）及び（Ｂ）を参照して、一例を説明する。なおここで、図１０（Ａ）は、単位画素同士の位置関係を示す図であり、図１０（Ｂ）は、入力された画像データ例を示す図である。
【０００８】
（赤，緑，青）の階調値（Ｄr，Ｄg，Ｄb）＝（２５５，２５５，２５５）である表示と（Ｄr，Ｄg，Ｄb）＝（０，０，０）である表示が、左右に隣り合う単位画素Ａと単位画素Ｂに表示されており、単位画素Ａの左側に隣接する単位画素Ｃは単位画素Ａと同じ階調値（Ｄr，Ｄg，Ｄb）＝（２５５，２５５，２５５）の表示、単位画素Ｂの右側に隣接する単位画素Ｄは単位画素Ｂと同じ階調値（Ｄr，Ｄg，Ｄb）＝（０，０，０）の表示であるとする（ここでは、２５６階調の液晶表示装置として説明する）。
【０００９】
このとき、照明環境が一様で、外光の影響が無いとした場合、輝度は透過率に比例するが、各単位画素内の表示画素の配置が左から順に赤，緑，青，白である場合、この２つの単位画素Ａ，Ｂ内の表示画素毎の透過率は、順に４．７％，１３．２％，３．５％，１８．０％，０．０％，０．０％，０．０％，０．０％となる。（この透過率はカラーフィルタの特性によって決まる。）
観察者がこの画像を観察する際には、人の眼の特性によりスムージングが行われる。
【００１０】
スムージングの関係式は、視距離、視力等によって異なるが、対象となる位置とその位置に対して影響を及ぼす周囲の表示画素との間の距離によって定まる係数とその表示画素の輝度との積の総和で近似できる。
【００１１】
ここでは、近似式の一例として、正規分布から導かれる式、
Ｔ’＝０．００３×Ｔ(-4)＋０．０２４×Ｔ(-3)＋０．０９７×Ｔ(-2)＋０．２２６×Ｔ(-1)＋０．３００×Ｔ(0)＋０．２２６×Ｔ(1)＋０．０９７×Ｔ(2)＋０．０２４×Ｔ(3)＋０．００３×Ｔ(4)
を用いる。
【００１２】
ただし、
Ｔ’：対象位置のスムージング後の透過率（視感透過率）
Ｔ(i)：対象位置との距離がｉ表示画素分（右方は正の値、左方は負の値）ある表示画素のスムージング前の透過率
としている。
【００１３】
この場合、ＡとＢの２つの単位画素内の視感透過率の分布は、９．９％，９．４％，９．０％，７．６％，４．７％，１．９％，０．４％，０．１％となり、図１１に示すように、本来黒が表示されるべき単位画素Ｂ内の領域にまで、単位画素Ａの高い透過率の白表示画素の影響が及んでしまう。なお、図１１は、表示画素透過率（表示画素の透過率と階調値の割合（単位画素Ａでは１、単位画素Ｂでは０）の積そのもの）と視感上スムージングされた透過率の分布を示す図であり、横軸に記したＲ，Ｇ，Ｂ，Ｗは赤表示画素，緑表示画素，青表示画素，白表示画素を示す。
【００１４】
このように、特に輝度が大きく変わる境界において、より忠実な表示を得ることができず、視感上の解像度が低くなってしまう。
【００１５】
また、上記特許文献１に開示されたように単位画素内の表示画素の配置を赤，緑，青，白の順とすると、人の視覚が敏感な肌色〜黄色系の色において、輝度の空間周波数が低くなることにより視感上の解像度が悪くなる現象が生じている。
【００１６】
例えば、一様な黄色を表示する場合には、（赤，緑，青）の階調値として(Ｄr，Ｄg，Ｄb）＝（２５５，２５５，０）であるが（２５６階調の液晶表示装置として説明する）、赤，緑，青，白の表示画素配列を持つ液晶表示装置で表示した場合、赤，緑，青，白の各表示画素に入力する階調値（Ｄ'r，Ｄ'g，Ｄ'b，Ｄ'w）＝（２５５，２５５，０，０）となり、単位画素内の表示画素透過率の分布は、図１２に示すように、４．７％，１３．２％，０．０％，０．０％となる。
【００１７】
輝度の空間周波数は１単位画素の幅の逆数となっている。
【００１８】
画素密度によっては、このような低い空間周波数の表示をした場合、特に人間の眼が敏感な肌色〜黄色系の色を表示する際に、各表示画素が十分に混ざらず、黄色と黒（ないしは濃い灰色または濃い青色）が交互に表示されていると認識されてしまう。
【００１９】
このように、人の視覚が敏感な肌色〜黄色系の色においても視感上の解像度が低くなってしまう。
【００２０】
本発明は、前記の点に鑑みてなされたもので、視感上の解像度を向上させることが可能な表示装置を提供することを目的とする。
【課題を解決するための手段】
【００２１】
請求項１に記載の表示装置は、
複数の表示画素をマトリックス状に配列し、カラー表示を行うための各単位画素が赤，緑，青，白の４個の表示画素で構成された表示装置であって、
１単位画素内において、前記４個の表示画素は一列に並べて配列され、
緑の表示画素と白の表示画素とが隣接して前記１単位画素の中央に配置されることを特徴とする。
【００２２】
請求項２に記載の表示装置は、請求項１に記載の表示装置において、
前記各単位画素における赤，緑，青の前記各表示画素には、同時にサンプリングされた表示信号に基づく表示がなされることを特徴とする。
【００２３】
請求項３に記載の表示装置は、請求項１または２に記載の表示装置において、
赤の表示画素と緑の表示画素とは１単位画素内及び隣接単位画素間において離れて配置されることを特徴とする。
【００２４】
請求項４に記載の表示装置は、
複数の表示画素をマトリックス状に配列し、カラー表示を行うための各単位画素が赤，緑，青，白の４個の表示画素で構成された表示装置であって、
１単位画素内において前記４個の表示画素は一列に並べて配列され、
赤の表示画素と緑の表示画素とが１単位画素内及び隣接単位画素間において離れて配置されることを特徴とする。
【００２５】
請求項５に記載の表示装置は、請求項４に記載の表示装置において、
前記各単位画素における赤，緑，青の前記各表示画素には、同時にサンプリングされた表示信号に基づく表示がなされることを特徴とする。
【発明の効果】
【００２６】
本発明によれば、視感上の解像度を向上させることが可能な表示装置を提供することができる。
【発明を実施するための最良の形態】
【００２７】
以下、本発明を実施するための最良の形態を、図面を参照して説明する。
【００２８】
［第１実施形態］
図１（Ａ）及び（Ｂ）は本発明の表示装置の第１実施形態としての液晶表示装置の１単位画素を構成する各表示画素領域と各表示画素の有する再現色の機能を模式的に示す平面図である。特に、図１（Ａ）は１単位画素の平面図を、図１（Ｂ）は複数単位画素の配置を示す平面図である。また、図２は、表示画素透過率（表示画素の透過率と階調値の割合（この例では、単位画素Ａでは１、単位画素Ｂでは０）の積そのもの）と視感上スムージングされた透過率の分布を示す図であり、横軸に記したＲ，Ｇ，Ｂ，Ｗは赤表示画素，緑表示画素，青表示画素，白表示画素を示す。
【００２９】
ここで、各単位画素における赤表示画素，緑表示画素，青表示画素には、同時にサンプリングされた表示信号に基づく表示がなされる。
【００３０】
従来と同様、本実施形態においても、図１（Ａ）に示すように、カラー表示を行うための１単位画素１０を、赤（Ｒ）、緑（Ｇ）、青（Ｂ）、白（Ｗ）の４つの表示画素１２で構成している。そして、この単位画素１０を表示面に多数配置して図１（Ｂ）に示すように有効表示領域を構成する（図１（Ｂ）では、各単位画素１０を太枠で囲って示している）。各表示画素１２の面積は同一であり、それぞれが１単位画素１０の１／４を占めている。
【００３１】
但し、本発明の第１実施形態では、緑表示画素１２Ｇと白表示画素１２Ｗとを並べて単位画素１０の中央に配置する、例えば、図１（Ａ）に示すように、表示画素１２の配置は左から順に、赤（赤表示画素１２Ｒ），緑（緑表示画素１２Ｇ），白（白表示画素１２Ｗ），青（青表示画素１２Ｂ）の順番としている。
【００３２】
このような表示画素１２の配列の順番とすることにより、図１０（Ａ）及び（Ｂ）を参照して先に説明したような、（Ｄr，Ｄg，Ｄb）＝（２５５，２５５，２５５）である単位画素Ａと（Ｄr，Ｄg，Ｄb）＝（０，０，０）である単位画素Ｂが左右に隣り合わせており、単位画素Ａの左側に隣接する単位画素は単位画素Ａと同じ（Ｄr，Ｄg，Ｄb）＝（２５５，２５５，２５５）、単位画素Ｂの右側に隣接する単位画素は単位画素Ｂと同じ（Ｄr，Ｄg，Ｄb）＝（０，０，０）である場合、本第１実施形態では、この２つの単位画素Ａ，Ｂ内の表示画素毎の透過率は、左から順に４．７％，１３．２％，１８．０％、３．５％，０．０％，０．０％，０．０％，０．０％となり、また、視感透過率の分布は、左から順に９．１％，１０．２％，９．８％，６．５％，２．９％，０．８％，０．１％，０．０％となり、図２に示すように、本来黒が表示されるべき単位画素Ｂの領域に対して隣接する単位画素Ａが及ぼす影響は、従来に比べて低減されている（図１１参照）。
【００３３】
したがって、本第１実施形態によれば、特に輝度が大きく変わる単位画素境界において、より忠実な表示を得ることができ、視感上の解像度が向上する。
【００３４】
なお、単位画素１０の配列は、図１（Ｂ）に示すように同色の表示画素１２が縦方向に一列に整列するようなストライプ配列に限定されるものではなく、図３に示すように偶数行と奇数行のサンプリングを半ピッチずらし、単位画素１０の配列を平行四辺形１４で示すように、隣接する行の配列を２表示画素分ずらす平行四辺形型の配列であるパラレログラム配列であっても、同様の効果が得られる。
【００３５】
また、表示画素１２の配置は、図１（Ａ）に示すような左から順に、赤表示画素１２Ｒ，緑表示画素１２Ｇ，白表示画素１２Ｗ，青表示画素１２Ｂの順に限らず、白表示画素１２Ｗと緑表示画素１２Ｇとを並べて単位画素１０の中央に配置するものであれば良い。即ち、図４（Ａ）に示すような左から順に、青表示画素１２Ｂ，緑表示画素１２Ｇ，白表示画素１２Ｗ，赤表示画素１２Ｒの順番、図４（Ｂ）に示すような赤表示画素１２Ｒ，白表示画素１２Ｗ，緑表示画素１２Ｇ，青表示画素１２Ｂの順番、図４（Ｃ）に示すような青表示画素１２Ｂ，白表示画素１２Ｗ，緑表示画素１２Ｇ，赤表示画素１２Ｒの順番、でも同様の効果が得られる。
【００３６】
更に、単位画素１０を表示画素１２に分割する際、左右に４分割したが、上下方向に４分割しても、同様の効果が得られる。
【００３７】
以上のように、本第１実施形態によれば、緑表示画素１２Ｇと白表示画素１２Ｗとを並べて単位画素１０の中央に配置することによって、隣接する単位画素１０同士の影響を低減し、視感上の解像度を向上させることができる。
【００３８】
図５（Ａ）は本第１実施形態の液晶表示装置における駆動手段の概略構成を説明するブロック図であり、図５（Ｂ）その要部を抜き出して示すブロック図である。
【００３９】
図５（Ａ）に示すように、本液晶表示装置は、走査線１６、信号線１８、液晶表示パネル２０、コントローラ２２、液晶駆動電源回路２４、垂直走査回路２６、映像信号駆動回路２８等から構成されている。なお、図中、基準電位はアクティブマトリクス方式の液晶表示装置において必要とされ、単純マトリクス型の液晶表示装置に適用する場合は、これは必要ない。
【００４０】
該液晶表示装置にホストコンピュータ等のＣＰＵ３０より入力される表示データにより、コントローラ２２で表示データ（階調値（Ｄr，Ｄg，Ｄb））と制御信号が形成される。（ここではＣＰＵ３０を含む例で説明するが、システムにより適宜構成は異なっても発明の本質には関係ない。）液晶表示パネル２０には、表示領域全面に、前述したような１単位画素が４色の表示画素１２Ｒ，１２Ｇ，１２Ｂ，１２Ｗからなる多数の画素が形成されている。コントローラ２２から出力される表示データは制御信号と共に映像信号駆動回路２８に印加され信号線１８を介して各表示画素のスイッチング素子（図示せず）に供給される。また、制御信号は垂直走査回路２６にも印加され、走査線１６を介して各画素の走査電極に印加される。
【００４１】
このような画素構成では、白色表示用の表示画素１２Ｗに表示のための信号を供給するための構成が必要である。そこで、図５（Ａ）及び（Ｂ）に示すように、コントローラ２２と映像信号駆動回路２８の間に、実際に表示すべき階調値を演算する階調演算回路３２を設け、コントローラ２２からの階調値（Ｄr，Ｄg，Ｄb）より赤，緑，青，白の各表示画素１２Ｒ，１２Ｇ，１２Ｂ，１２Ｗに入力する階調値（Ｄ'r，Ｄ'g，Ｄ'b，Ｄ'w）を演算している。その演算方法は、上記特許文献１に開示された手法が適用できる。
【００４２】
例えば、赤，緑，青の３原色はそのままの階調値とし、白色Ｗの階調値（Ｄ'w）を、赤，緑，青の３原色に相当する各表示画素に入力される３つの階調値のうち、最も小さい値とする。
【００４３】
映像信号駆動回路２８及び階調演算回路３２を、信号線１８が形成された基板上に一体に形成することで、映像信号駆動回路２８を各表示画素のスイッチング素子を製造するＴＦＴ製作工程で前記スイッチング素子と同時に形成できるため、低コスト化が実現する。また、映像信号駆動回路２８が、ＲＧＢの３色の場合に比べて４／３の回路規模となるが、基板上に一体に形成する場合にはほとんどプロセス、コストの増加を招かない。したがって、この場合はコストの増大なしに本発明の機能を実現できる。
【００４４】
なお、各表示画素に入力する階調値（Ｄ'r，Ｄ'g，Ｄ'b，Ｄ'w）を、ＲＧＢに入力される階調値（Ｄr，Ｄg，Ｄb，Ｄw）に基づいて適宜ルールを変えて演算して決定してもよい。この場合、ルールを変えることにより白色色温度をユーザが制御できるようになる。この際には、当該ルールを液晶表示素子外よりユーザがハードウェア的もしくはソフトウェア的機構により制御し得ることが望ましい。
【００４５】
［第２実施形態］
次に、本発明の第２実施形態を説明する。
【００４６】
図６は本発明の表示装置の第２実施形態としての液晶表示装置における１単位画素の平面図である。また、図７は、表示画素透過率と視感上の透過率分布を示す図であり、横軸に記したＲ，Ｗ，Ｇ，Ｂは赤表示画素１２Ｒ，白表示画素１２Ｗ，緑表示画素１２Ｇ，青表示画素１２Ｂを示す。
【００４７】
本実施形態においては、カラー表示を行うための１単位画素１０を、赤，緑，青，白の４つの表示画素１２で構成し、単位画素１０内の表示画素の配置を、赤表示画素１２Ｒと緑表示画素１２Ｇとが離れた配置、例えば図６に示すように、左から順に、赤表示画素１２Ｒ，白表示画素１２Ｗ，緑表示画素１２Ｇ，青表示画素１２Ｂの順番としている。
【００４８】
このような表示画素１２の配列の順番とすることにより、例えば一様な黄色を表示する場合、（赤，緑，青）の階調値(Ｄr，Ｄg，Ｄb）＝（２５５，２５５，０）であるが、このような場合に、従来の左から順に、赤，緑，青，白の表示画素配列を持つ液晶表示装置で表示すると、図１２を参照して先に説明したように、単位画素内の表示画素透過率の分布は、左から順に、４．７％，１３．２％，０．０％，０．０％となるのに対して、本第２実施形態では、左から順に、赤，白，緑，青の順番に配置しているので（Ｄ'r，Ｄ'w，Ｄ'g，Ｄ'b）＝（２５５，０，２５５，０）となり、単位画素１０内の表示画素透過率の分布は、図７に示すように、左から順に、４．７％，０．０％，１３．２％，０．０％となる。
【００４９】
従って、図１２と比較して図７の場合、輝度の空間周波数は１単位画素１０の幅の１／２の逆数となり、従来の黄色と黒が交互に見える現象を低減し、視感上の解像度を向上させていることがわかる。
【００５０】
なお、単位画素１０の配列は、ストライプ配列でもパラレログラム配列でも良いことは、前記第１実施形態と同様である。
【００５１】
また、表示画素１２の配置は、図６に示すような左から順に、赤表示画素１２Ｒ，白表示画素１２Ｗ，緑表示画素１２Ｇ，青表示画素１２Ｂの順に限らず、赤表示画素１２Ｒと緑表示画素１２Ｇとを離れて配置するものであれば良い。即ち、図８（Ａ）に示すような白表示画素１２Ｗ，緑表示画素１２Ｇ，青表示画素１２Ｂ，赤表示画素１２Ｒの順番、図８（Ｂ）に示すような緑表示画素１２Ｇ，青表示画素１２Ｂ，赤表示画素１２Ｒ，白表示画素１２Ｗの順番、図８（Ｃ）に示すような青表示画素１２Ｂ，赤表示画素１２Ｒ，白表示画素１２Ｗ，緑表示画素１２Ｇの順番、図８（Ｄ）に示すような青表示画素１２Ｂ，緑表示画素１２Ｇ，白表示画素１２Ｗ，赤表示画素１２Ｒの順番、図８（Ｅ）に示すような緑表示画素１２Ｇ，白表示画素１２Ｗ，赤表示画素１２Ｒ，青表示画素１２Ｂの順番、図８（Ｆ）に示すような白表示画素１２Ｗ，赤表示画素１２Ｒ，青表示画素１２Ｂ，緑表示画素１２Ｇの順番、図８（Ｇ）に示すような赤表示画素１２Ｒ，青表示画素１２Ｂ，緑表示画素１２Ｇ，白表示画素１２Ｗの順番、でも同様の効果が得られる。
【００５２】
なお、そのような赤表示画素１２Ｒと緑表示画素１２Ｇとが離れた配置としては、図９（Ａ）に示すような左から順に、赤表示画素１２Ｒ，青表示画素１２Ｂ，白表示画素１２Ｗ，緑表示画素１２Ｇの順番、図９（Ｂ）に示すような赤表示画素１２Ｒ，白表示画素１２Ｗ，青表示画素１２Ｂ，緑表示画素１２Ｇの順番、図９（Ｃ）に示すような緑表示画素１２Ｇ，青表示画素１２Ｂ，白表示画素１２Ｗ，赤表示画素１２Ｒの順番、及び図９（Ｄ）に示すような緑表示画素１２Ｇ，白表示画素１２Ｗ，青表示画素１２Ｂ，赤表示画素１２Ｒの順番、も存在する。これらは、１単位画素１０内においては赤表示画素１２Ｒと緑表示画素１２Ｇとが離れて配置されているが、隣接する２つの単位画素１０間において、赤表示画素１２Ｒと緑表示画素１２Ｇとが隣り合ってしまう。従って、そのような配置は除外する。
【００５３】
更に、単位画素１０を表示画素１２に分割する際、左右に４分割したが、上下方向に４分割しても、同様の効果が得られる。
【００５４】
また、本第２実施形態の液晶表示装置における駆動手段の構成は、図５（Ａ）及び（Ｂ）を参照して説明した前記第１実施形態と同様である。
【００５５】
以上のように、本第２実施形態によれば、赤表示画素１２Ｒと緑表示画素１２Ｇとを、１単位画素１０内及び隣接単位画素１０間において離れて配置することによって、人間の眼が敏感な肌色〜黄色系の色を表示する場合に輝度の空間周波数を高くすることで、視感上の解像度を向上させることができる。
【００５６】
なお、前記第１及び第２実施形態は、単位画素１０が各色同時にサンプリングされることを前提に説明したが、本第２実施形態はそのような同時サンプリングでなくても、即ち、サンプリングの時間が各色で異なっていても同様の効果を奏することができる。
【００５７】
以上、実施形態に基づいて本発明を説明したが、本発明は上述した実施形態に限定されるものではなく、本発明の要旨の範囲内で種々の変形や応用が可能なことは勿論である。
【００５８】
上記では、わかりやすいように、各色が最大階調及び最小階調の場合で説明したが、中間調の場合でも同様の効果を奏する。
【００５９】
なお、前記第２実施形態のような赤表示画素１２Ｒと緑表示画素１２Ｇとを１単位画素１０内及び隣接単位画素１０間において離れて配置する構成を、前記第１実施形態の白表示画素１２Ｗと緑表示画素１２Ｇとを並べて単位画素１０の中央に配置する構成に組み合わせても良い（図６及び図８（Ｄ）の配置に相当する）。そうすることで、両実施形態の効果を奏することができる。
【００６０】
また、前記第１及び第２実施形態は液晶表示装置を例に説明したが、フィルタ方式を採用したＥＬ等の発光素子を用いる表示装置にも適用可能である。
【図面の簡単な説明】
【００６１】
【図１】（Ａ）は本発明の表示装置の第１実施形態としての液晶表示装置における１単位画素の平面図であり、（Ｂ）は複数単位画素の配置を示す平面図である。
【図２】第１実施形態の液晶表示装置において図１０（Ｂ）に示す表示データが入力された場合の表示画素透過率と視感上スムージングされた透過率の分布を示す図である。
【図３】パラレログラム配列とした場合の複数単位画素の配置を示す平面図である。
【図４】（Ａ）乃至（Ｃ）はそれぞれ第１実施形態での１単位画素内における表示画素の配置の別の例を説明するための平面図である。
【図５】（Ａ）は第１実施形態の液晶表示装置における駆動手段の概略構成を説明するブロック図であり、（Ｂ）はその要部を抜き出して示す図ブロック図である。
【図６】本発明の表示装置の第２実施形態としての液晶表示装置における１単位画素の平面図である。
【図７】第２実施形態の液晶表示装置において一様な黄色を表示するための表示データが入力された場合の表示画素透過率と視感上スムージング透過率の分布を示す図である。
【図８】（Ａ）乃至（Ｇ）はそれぞれ第２実施形態での１単位画素内における表示画素の配置の別の例を説明するための平面図である。
【図９】（Ａ）乃至（Ｄ）はそれぞれ第２実施形態で除外する１単位画素内における表示画素の配置の例を説明するための平面図である。
【図１０】（Ａ）は従来の表示装置における単位画素同士の位置関係を示す図であり、（Ｂ）は入力された画像データを示す図である。
【図１１】従来の表示装置において図１０（Ｂ）に示す表示データが入力された場合の表示画素透過率と視感上スムージングされた透過率の分布を示す図である。
【図１２】従来の表示装置において一様な黄色を表示するための表示データが入力された場合の表示画素透過率と視感上スムージングされた透過率の分布を示す図である。
【符号の説明】
【００６２】
１０…単位画素、  １２…表示画素、  １２Ｒ…赤表示画素、  １２Ｇ…緑表示画素、  １２Ｂ…青表示画素、  １２Ｗ…白表示画素、  １４…平行四辺形、  １６…走査線、  １８…信号線、  ２０…液晶表示パネル、  ２２…コントローラ、  ２４…液晶駆動電源回路、  ２６…垂直走査回路、  ２８…映像信号駆動回路、  ３０…ＣＰＵ、  ３２…階調演算回路。
【図１】
2008233803.tif 000003
【図２】
2008233803.tif 000004
【図３】
2008233803.tif 000005
【図４】
2008233803.tif 000006
【図５】
2008233803.tif 000007
【図６】
2008233803.tif 000008
【図７】
2008233803.tif 000009
【図８】
2008233803.tif 000010
【図９】
2008233803.tif 000011
【図１０】
2008233803.tif 000012
【図１１】
2008233803.tif 000013
【図１２】
2008233803.tif 000014